(57)【要約】【課題】非接触ＩＣカード等の貸出媒体を遊技機本体内に取り込む搬送機構を用いずに、簡易な構成で貸出処理中の引き抜きを防止することのできる遊技媒体貸出機を提供する。【解決手段】カード挿入口２１０からカード２０が差し込まれて所定位置に到達すると、光学センサ２１７〜２２０がこれを検出してソレノイド２１１、２１２を駆動する。ソレノイド２１１、２１２が駆動することによって、シャッター部材２１３、２１４がカード挿入口２１０内に突出してカード２０の両側部の先端部を係止して該カード２０を抜き取ることができないようにする。カード返却時には、シャッター部材２１３、２１４の突出が解除され、バネ２１６によって該カード２０が機外（前方）に押し出される。【選択図】図３
2004166836.tif 000002
【特許請求の範囲】
【請求項１】
貸出機本体に設けられた貸出媒体挿入口から貸出媒体が挿入されて所定位置に到達しているときに、該貸出媒体と通信を行って該貸出媒体が有する有価価値の範囲内で遊技媒体の貸出処理を行う遊技媒体貸出機において、
前記貸出媒体が前記所定位置にあるときに、該貸出媒体との少なくとも通信中は前記貸出媒体の挿入方向に交差する方向に通過規制部材を突出させて該貸出媒体を抜き取ることが出来ないようにする通過規制手段を設けたことを特徴とする遊技媒体貸出機。
【請求項２】
前記通過規制手段は、前記貸出処理のための通信中でないときに前記通過規制部材を引き込んで前記突出状態を解除することが可能であり、
前記通過規制部材の突出状態が解除されているときの前記貸出媒体を機外に押し出す押出手段を設けたことを特徴とする請求項１記載の遊技媒体貸出機。
【請求項３】
前記貸出媒体が前記所定位置にあることを検出する検出手段を備え、
前記通過規制手段は、前記検出手段が前記貸出媒体が前記所定位置にあることを検出したときに前記貸出媒体の挿入方向に交差する方向に通過規制部材を突出させる請求項１または２記載の遊技媒体貸出機。
【請求項４】
前記通過規制手段は、シャッター部材からなる前記通過規制部材と該シャーター部材を駆動するソレノイドとで構成し、前記押出手段は、前記貸出媒体を機外に向けて押圧する弾性部材で構成した請求項２または３記載の遊技媒体貸出機。
【請求項５】
貸出機本体に設けられた貸出媒体挿入口から貸出媒体が挿入されて所定位置に到達しているときに、該貸出媒体と通信を行って該貸出媒体が有する有価価値の範囲内で遊技媒体の貸出処理を行う遊技媒体貸出機において、
前記所定位置は、前記貸出媒体を該所定位置まで挿入したときに該貸出媒体の略全部が貸出機本体内に挿入される位置に設定され、
前記所定位置において前記貸出処理のための通信中でないときに前記貸出媒体を機外に押し出すことが可能な押出手段を設けたことを特徴とする請求項５記載の遊技媒体貸出機。
【請求項６】
前記押出手段は、前記貸出媒体を返却する信号で駆動されるソレノイド機構で構成した請求項５記載の遊技媒体貸出機。
【発明の詳細な説明】
【０００１】
【発明の属する技術分野】
この発明は、遊技機に近接して配置され、貸出媒体が挿入された後にその貸出媒体が有する有価価値の範囲内で遊技媒体の貸出処理を行う遊技媒体貸出機に関する。
【０００２】
【従来の技術】
遊技媒体貸出機に差し込まれる貸出媒体としては、従来から、主に磁気タイプのプリペイドカードが使用されている。この磁気タイプのプリペイドカードは、貸出機本体内に搬送機構で取り込まれ、搬送中に磁気ヘッドによって読み書きされる。このように、従来から使用されている磁気タイプのプリペイドカードでは、カードを貸出機本体内に搬送する必要があるために、搬送機構は必須であり、そのため高コストとなるとともに、磁気ヘッド面の磨耗や搬送機構部の故障が生じやすい欠点がある。
【０００３】
そこで、近年、コスト低減のために、貸出媒体として、記憶部をＩＣチップ化し、さらに非接触通信機能を持たせたＩＣカードを用い、非接触通信によってデータの読み書きを行う遊技媒体貸出機が提案されている。この構成によれば、データの読み書きを行う上においては原理的にカード搬送機構は不要であるために低コストとなる利点がある。また、ＩＣカードとすることによって記憶容量が大きくなり、さらに偽造が困難であるために磁気カードに比べてセキュリテイが高くなる利点もある。
【０００４】
ところが、上記のような非接触ＩＣカードは、カードを搬送する必要がない反面、通信中に遊技者によって引き抜かれる可能性がある。何故なら、ＣＲパチンコ（スロット）においてカード度数に応じた玉貸し（メダル貸し）を行う場合、貸出処理に、通常、数秒〜１０秒程度（ＣＲスロット機では貸出処理が数秒で終わるが、ＣＲパチンコ機の場合には物理的に玉を貸し出すために１０秒程度必要である）の比較的長い時間がかかるため、この間にカードが引き抜かれてしまうことが考えられるからである。そして、もし引き抜かれると、引き落とされたカード度数と実際に貸し出された玉数（メダル数）とが不一致となってしまうなど、カードエラー状態を引き起こしてしまう。
【０００５】
そこで、従来提案されていた非接触ＩＣカードを使用した遊技媒体貸出機においては、従来の磁気カードと同様に、遊技機本体内に非接触ＩＣカードを搬送して上述の「貸出中のカード引き抜き」の問題が生じないようにしてから貸出処理を行うようにしていた。
【０００６】
【発明が解決しようとする課題】
しかしながら、貸出処理時に非接触ＩＣカードを遊技媒本体内に引き込む構成では、磁気カードを使用する場合と同様に高コストの搬送機構が必要になってくる。
【０００７】
そこで、この発明は、非接触ＩＣカード等の貸出媒体を遊技機本体内に取り込む搬送機構を用いずに、簡易な構成で貸出処理中の引き抜きを防止することのできる遊技媒体貸出機の提供を目的とする。
【０００８】
【課題を解決するための手段】
この発明は、上記の課題を解決するために、次のように構成している。
【０００９】
（１）貸出機本体に設けられた貸出媒体挿入口から貸出媒体が挿入されて所定位置に到達しているときに、該貸出媒体と通信を行って該貸出媒体が有する有価価値の範囲内で遊技媒体の貸出処理を行う遊技媒体貸出機において、
前記貸出媒体が前記所定位置にあるときに、該貸出媒体との少なくとも通信中は前記貸出媒体の挿入方向に交差する方向に通過規制部材を突出させて該貸出媒体を抜き取ることが出来ないようにする通過規制手段を設けたことを特徴とするこの発明において、「貸出媒体」とは遊技媒体の貸出処理を行うための有価価値を記憶可能な媒体であり、非接触通信機能を持つ非接触ＩＣカード、有端子ＩＣカード、フラッシュメモリカード、ＩＣチップを埋め込んだコイン等の形状や任意の形状を持つ記憶媒体、或いはこれらの記憶媒体に識別情報のみを記憶し、この識別情報に対応する有価価値情報を遊技媒体貸出機や管理装置に記憶しておくものを含んでいる。
【００１０】
また、「遊技媒体」とは、パチンコ玉やメダル、その他それに類似したものをいう。
【００１１】
この発明の遊技媒体貸出機においては、貸出媒体挿入口から挿入された貸出媒体が所定位置にある時に、その位置に停止している状態で該貸出媒体と通信を行って該貸出媒体が有する有価価値の範囲内で遊技媒体の貸出処理を行う。この貸出処理を行う時には、貸出媒体の挿入方向に交差する方向に通過規制部材を突出させて該貸出媒体を抜き取ることが出来ないようにされるため、「貸出中のカード引き抜き」の問題は生じない。貸出媒体の挿入方向に交差する方向に通過規制部材を突出する態様としては、例えば、通過規制部材を貸出媒体挿入口に突出する構成や、貸出媒体に切欠きを形成しこの切欠きにピン等の通過規制部材を挿入する構成等が考えられる。通過規制部材が貸出媒体の挿入方向に交差する角度は、必ずしも直角でなくても良い。
【００１２】
したがって、「貸出中のカード引き抜き」の問題の生じない安全な貸出処理を行うことができるとともに、搬送機構が不要で低コスト化できる有利性がある。また、貸出媒体としてＩＣチップを備えるものにすることで、磁気カードに比べて高セキュリテイで且つ形状が自由になる利点があり、記憶容量を大きくすることも容易である。
【００１３】
前記通過規制手段は、前記貸出処理のための通信中でないときに前記通過規制部材を引き込んで前記突出状態を解除することが可能であり、前記通過規制部材の突出状態が解除されているときの前記貸出媒体は押出手段によって機外に押し出すことが出来る。通過規制手段が通過規制部材を引き込んで前記突出状態を解除する態様としては、例えば、貸出処理が終了して返却ボタン等が操作されたときに通過規制部材を引き込むことが考えられる。なお、押出手段は、簡単にはバネで構成することが出来るが、ソレノイドで構成することも可能である。
【００１４】
上記貸出媒体が所定位置にあるかどうかは検出手段によって検出することが可能である。この検出手段を設けることにより、貸出媒体を貸出媒体挿入口から挿入していく時に所定位置にくると、その状態を検出して通過規制手段を駆動することが可能になる。したがって、通過規制手段の駆動タイミングを正確に出来る利点がある。検出手段としては、たとえば光学的センサで構成することができるが、貸出媒体と通信を行う通信部そのもので構成することも可能である。後者の場合、貸出媒体が所定位置にあるかどうかは、貸出媒体が通信可能な位置に到達しているかどうかで検出される。したがって、貸出媒体との間で通信が可能になる位置まで貸出媒体が挿入されると（例えば、通信部が非接触通信部であるときには、非接触通信が可能となるエリアまで貸出媒体が挿入されると）、貸出媒体に交差する方向に通過規制部材が突出する。
【００１５】
また、通過規制手段を、シャッター部材からなる前記通過規制部材と該シャーター部材を駆動するソレノイドとで構成で構成することにより、シャッター部材の動作により貸出媒体挿入口が開閉される。これにより、貸出媒体の抜き取り規制とその解除を簡単に行うことができ、且つ、貸出媒体挿入口が開いた時には、弾性部材で該貸出媒体が機外に押し出されるために、貸出媒体を容易に抜き取ることが出来る。
【００１６】
また、上記弾性部材を設けたことにより、遊技者は、ある程度の抵抗のある状態で貸出媒体を挿入していくことになるから媒体挿入時に貸出媒体のガタツキを防ぐことができ、また、返却時にはシャッター部材が開いて貸出媒体が自動的に前方へ押し出されてくることになるから、操作性が非常に良くなる。
【００１７】
（２）貸出機本体に設けられた貸出媒体挿入口から貸出媒体が挿入されて所定位置に到達しているときに、該貸出媒体と通信を行って該貸出媒体が有する有価価値の範囲内で遊技媒体の貸出処理を行う遊技媒体貸出機において、
前記所定位置は、前記貸出媒体を該所定位置まで挿入したときに該貸出媒体の略全部が貸出機本体内に挿入される位置に設定され、
前記所定位置において前記貸出処理のための通信中でないこときに前記貸出媒体を機外に押し出すことが可能な押出手段を設けたことを特徴とする。
【００１８】
上記の構成では、遊技者が、貸出媒体を貸出媒体挿入口から挿入していき所定位置に到達した時に、その貸出媒体の略全部が貸出機本体内に挿入されてしまう。略全部が挿入されている状態とは、貸出媒体が貸出機本体内に挿入されたときに、その一部を手で掴んで機外に抜き取ることが実質的に不可能なほど該媒体が貸出機本体内に挿入されている状態をいう。したがって、この状態では遊技者は該貸出媒体を抜き取ることができない。一方、所定位置において前記貸出処理のための通信中でない時、例えば貸出媒体返却時においては、押出手段によって該貸出媒体を前方に押し出すようにすることで、遊技者は貸出媒体を容易に貸出機本体から抜き取ることが出来る。
【００１９】
このような構成によれば、貸出媒体が返却されるまでの期間は該貸出媒体を抜き取ることが出来ないため、通信中に「貸出中のカード引き抜き」の問題の生じない安全な貸出処理を行うことができるとともに、搬送機構が不要であるため低コスト化できる。なお、押出手段はソレノイドで構成することが出来る。
【００２０】
前記所定位置は、貸出媒体を該所定位置にまで挿入した時、少なくともその貸出媒体の一部（前端等）を貸出媒体挿入口等から見ることが出来る位置であることが望ましい。このように構成すると、遊技者等が、貸出媒体を使用して貸出処理が行われることを一目で知ることができる。
【００２１】
【発明の実施の形態】
図１は、この発明の実施形態であるＣＲスロットマシンの正面図、図２は台間機の斜視図である。
【００２２】
このＣＲスロットマシンは、スロットマシン本体１と、これに隣接して配置され電気的に接続される台間機２とで構成される。台間機２は、この発明の遊技媒体貸出機に対応するものであり、機内に挿入された貸出媒体が有する有価価値の範囲内で遊技媒体の貸出処理を行う。この実施形態では、上記貸出媒体として、非接触ＩＣカード２０（以下、カード２０という）が使用され、有価価値として度数データが用いられる。
【００２３】
スロットマシン本体１のほぼ中央部には、シンボル表示窓３が配置されている。このシンボル表示窓３は、内部に設けられているリールの周面に印刷されている複数の絵柄（シンボル）を表示し、各リールの回転状態と停止状態をこの表示窓３から見ることができる。各リールは、図外のステッピングモータに連結され、貸出処理が行われた後遊技用のメダル枚数が設定されて手動レバー６が操作されると、ゲームが開始して各リールが回転を始める。各リールが回転を始めた後、シンボル表示窓３の下方に配置されている停止スイッチ４を次々と操作すると、その操作に応じて各リールが停止する。全てのリールが停止した時に入賞していると、同じシンボルが斜め方向や水平方向に一致する。この入賞時に、所定枚数のメダルが報奨として払いだされる。
【００２４】
手動レバー６の上方に設けられているＢＥＴボタン７は、遊技に使用するメダル枚数を設定するボタンである。
【００２５】
スロットマシン本体１には、手動レバー６の左側に、貸出ボタン８と返却ボタン９とが配置されている。貸出ボタン８は、台間機２のＩＣカードリーダライタ２１のカード挿入口に挿入されたＩＣカード２０から所定の度数を引き落としてメダルの貸出処理を行うためのボタンである。この貸出ボタン８が操作されて貸出処理が行われると、台間機２に挿入されたカード２０から１度数ずつ順次減算し、同時にスロットマシン本体１において、上記減算された度数に対応した枚数のメダル貸出が行われていく。
【００２６】
返却ボタン９は、カード２０を遊技者に返却するためのボタンである。この返却ボタン９を操作することによって、後述のシャッター部材によるカード挿入口の通過規制状態が解除され、さらに、バネによって該カード２０が機外（前方）に押し出されて返却される。
【００２７】
前記ＢＥＴボタン７の左側に配置されているカード残高表示器１０は、カード２０の残高度数を表示する。ＩＣカードリーダライタ２１のカード挿入口にカード２０が挿入された時にカードの残高度数がこのカード残高表示器１０に表示される。
【００２８】
カード残高表示器１０の左側に配置されている貸出可ＬＥＤ１１は、貸出処理が可能であることを示す。このＬＥＤ１１が点灯している状態でカード２０によりメダル貸出を行うことができる。
【００２９】
前記カード残高表示器１０の右側には、クレジットメダル枚数表示器１２が配置されている。この表示器１２は、スロットマシン本体１にクレジット扱いとなっているメダル枚数、つまり残留メダル枚数を表示する。
【００３０】
台間機２には、上から下方に向けて、札投入口２２、ＩＣカードリーダライタ２１、鍵挿入口２３、エラー状態等の状態表示ランプ２４、カード状態表示ランプ２５、度数表示器２６が配置されている。
【００３１】
札投入口２２は、紙幣（千円紙幣）を受け入れる。この紙幣を受け入れた時に、その金額に対応する度数（ここでは１０度数）の貸出処理を開始する。
【００３２】
ＩＣカードリーダライタ２１は、後述のカード挿入口を有し、このカード挿入口に挿入されたカード２０との間で非接触通信によって読み書きを行う非接触通信部を備えている。また、詳細については後述するように、このＩＣカードリーダライタ２１は、ソレノイド駆動のシャッター部材と、カード２０の後端部から前方に向けて押圧力を付勢するバネを備えている。
【００３３】
鍵挿入口２３は、台間機本体を引き抜いたりエラー解除をするためのものである。
【００３４】
状態表示ランプ２４は、エラー時に点滅したりする。カード状態表示ランプ２５は、上記カード挿入口にカード２０が挿入されていない時には消灯し、挿入されて貸出がＯＫの時には点灯する。また、カード２０と通信をしている（抜き取り不可）時には点滅状態となる。
【００３５】
度数表示器２６は、スロットマシン本体１の残高表示器１０と同様に、ＩＣカードリーダライタ２１に挿入されたカード２０の残高を表示したり、エラー発生時にエラーを表示したりする。
【００３６】
図３は、ＩＣカードリーダライタ２１の構造を示す図である。同図（Ａ）は正面図、同図（Ｂ）は側面構造図である。
【００３７】
ＩＣカードリーダライタ２１の搭載部は、図２に示すように、台間機前面部をやや前方に膨出させた位置に設けられている。ＩＣカードリーダライタ２１の正面部にはカード挿入口２１０が設けられている。このカード挿入口２１０は、図３（Ｂ）に示すようにハウジング２１５の正面部を内側（後方側）に折り曲げて形成されており、その上部及び下部には、ソレノイド２１１、２１２が配置されている。このソレノイド２１１、２１２の可動部は、カード挿入口２１０においてカード挿入方向に直角に交差する方向に出入するシャッター部材２１３、２１４として機能する。図示のように、カード２０がカード挿入口２１０から後方部に向けて一杯に挿入された状態でソレノイド２１１、２１２がオンすると、シャッター部材２１３、２１４がカード挿入口２１０方向に移動（突出）して、図示のようにカード２０の前端両側部を係止し、該カード２０のカード挿入口２１０での通過規制状態とする。この時、カード２０の前端部の中央付近は、折り曲げ形成されているカード挿入口２１０の中央垂直部分２１０ａよりも前方部に位置しているため、外側からは、カード挿入口２１０にカード２０が挿入されていることを容易に視認することができる。
【００３８】
ＩＣカードリーダライタ２１のハウジング２１５後端部には、スプリングコイルからなるバネ２１６が配置されている。このバネ２１６は、カード挿入口２１０にカード２０が差し込まれる時、カード２０の後端部に当接して圧縮する。そして、カード２０がカード挿入口２１０から後方に一杯に挿入されてシャッター部材２１３、２１４でその前端部が係止された状態では、バネ２１６はカード２０に対し前方へ押し出す押圧力を付勢する。
【００３９】
ハウジング２１５内には、４つの光学センサ２１７〜２２０が配置されている。この光学センサ２１７〜２２０は、カード２０が挿入された所定の位置に到達したことを検出するセンサである。所定の位置とは、シャッター部材２１３、２１４が同カード２０の前端両側部を係止できる位置、すなわち、カード２０が後方に一杯に挿入された位置であり、センサ２１７〜２２０がこの所定位置までカード２０が挿入されたことを検出すると、ソレノイド２１１、２１２がオンしてシャッター部材２１３、２１４がカード挿入口側に移動（突出）する。このようにして、カード２０がシャッター部材２１３、２１４によって前方に抜き取ることが出来ないように係止されることで、その後、遊技者によって貸出ボタン８が操作された時にカード２０に対する読み書きが確実に行われるようになる。
【００４０】
遊技者によって返却ボタン９が操作されると、ソレノイド２１１、２１２がオフされる。この時、シャッター部材２１３は図の上方へ移動し、シャッター部材２１４は図の下方に移動するために、これらのシャッター部材によるカード２０の係止状態が解除される。つまり、返却ボタン９が操作されたときには、貸出処理のための通信中でないことから、シャッター部材２１４が引き込まれてカード２０の通過規制が解除される。同時に、バネ２１６の押圧力によってカード２０が機外（前方）に押し出される。これにより、遊技者はカード２０を容易に引き出すことができることとなる。なお、返却ボタン９が操作されたときが貸出処理中であれば、その操作は無効とされる。
【００４１】
図４はＣＲスロットマシンの構成図である。
【００４２】
スロットマシン本体１の主制御部１５は、スロットマシン本体１の全体の制御を行い、また、インターフェイス基板（Ｉ／Ｆ基板）１６を介して、台間機２との間で主に貸出処理時のデータ通信を行う。また、台間機２に接続される台間機用中継部１６を備え、この中継部１６に、貸出ボタン８、返却ボタン９、カード残高表示器１０が接続されている。
【００４３】
台間機２の主制御部２７は、台間機２全体の制御を行い、該主制御部２７にはＩＣカードリーダライタ２１、状態表示ランプ２４、カード状態表示ランプ２５等が接続されている。また、主制御部２７には、さらに、ＩＣカードリーダライタ２１内に設けられているソレノイド２１１、２１２、および光学センサ２１７〜２２０が接続されている。また、主制御部２７は、中継機２８とスロットマシン本体１内のＩ／Ｆ基板１６を介して、主制御部１５との間でデータ通信を行う。上記Ｉ／Ｆ基板１６と中継機２８間に流れる信号は以下の通りである。
【００４４】
・ＰＲＤＹ・・・貸出可能信号。この信号はスロットマシン本体１内の電源オンにより「Ｌ」（アクティブロー）となり、台間機２に送信される。
【００４５】
・ＥＸＳ・・・貸出了解信号。この信号は、下記ＢＲＱを台間機２から受けた時に「Ｌ」（アクティブロー）となり、台間機２に送信される。
【００４６】
・ＢＲＤＹ・・・貸出状態信号。この信号は、貸出ボタン８が操作された時に貸出中を示す「Ｌ」（アクティブロー）となり、貸出処理が完了した時に「Ｈ」に戻る。
【００４７】
・ＢＲＱ・・・貸出要求信号。この信号は、貸出ボタン８が操作された時に台間機２からスロットマシン本体１に対して出される。
【００４８】
図５は、貸出処理が行われる時の貸出通信動作を示すタイミングチャートである。なお、同図において、ＴＤＳは貸出ボタン８の操作可能信号で、操作可能の時に「Ｈ」（アクティブハイ）となる。また、ＴＤＬＯは、貸出可ＬＥＤ１１点灯信号で、点灯の時に「Ｌ」（アクティブロー）となる。
【００４９】
電源がオンすると、初期処理等に必要な時間ＴＳを経過した後、ＰＲＤＹが「Ｌ」になる。同時に貸出ボタン８の操作も可能となり（ＴＤＳ→「Ｈ」）、且つ、貸出可ＬＥＤ１１が点灯する。この時、貸出ボタン８が操作されると、引き落としの有効な度数を記憶するカード２０がＩＣカードリーダライタ２１に挿入されていることを確認して、度数カウント用のカウンタを０にして、ＢＲＤＹを「Ｌ」にし、且つ、貸出ボタン８の受付を禁止して再度の同貸出ボタン８の操作を受け付けないようにする（ＴＤＳ→「Ｌ」）。
【００５０】
次に、一定の時間Ｔ０が経過してＢＲＱを「Ｌ」にすることで台間機２からスロットマシン本体１に対して貸出要求を出す。この後、内部タイマによる計時を開始し、スロットマシン本体１からの応答を待つ。時間Ｔ１が経過してスロットマシン本体１からＥＸＳが「Ｌ」となる正常な応答（貸出了解）があることを判定すると、タイマクリアし、台間機２においてＢＲＱを「Ｈ」に戻すとともに、カード２０から１度数の減算を行う。上記ＥＸＳが「Ｌ」の応答があった時点で、スロットマシン本体１において１度数に相当するメダル枚数５枚の貸出が行われる。この貸出はクレジットで行われるため、クレジットメダル枚数表示器１２が５だけカウントアップする（これをクレジットアップという）。
【００５１】
続いて、再び、タイマ計時を開始し、タイマ計数値がＴ３を計時するまでにＥＸＳが「Ｈ」になるのを待つ。タイマ計数値ＴがＴ３を計時するまでにＥＸＳが「Ｈ」になるとスロットマシン本体１では５枚のクレジットアップが完了している。ＥＸＳが「Ｈ」になるのを検出すると、タイマをクリアし、度数カウント用の上記カウンタを１つ増やす。以上の処理で１度数の減算と５枚のメダル貸出が完了する。以下、上記の動作を繰り返し、カード２０からの１０度数の減算とメダル５０枚のクレジットアップを終える。カード２０からの１０度数の減算を終えると、ＴＥが経過するのを待って、ＢＲＤＹを「Ｈ」にセットして貸出完了となる。
【００５２】
なお、以上の動作は、カード２０を使用して貸出処理を行う時の動作であるが、紙幣を使用する時には、紙幣投入を検出してから上記の貸出通信処理が行われる。
【００５３】
次に、図６を参照して台間機２内の主制御部２７の動作を説明する。
【００５４】
ＩＣカードリーダライタ２１にカード２０が挿入された状態を光学センサ２１７〜２２０のいずれかで検知し（ＳＴ１）、且つ、このカード２０を全ての光学センサ２１７〜２２０で検知できると（ＳＴ２）、カード２０が所定の位置に正しく挿入されたと判断して、ソレノイド２１１、２１２をオンする。これにより、シャッター部材２１３、２１４がカード挿入口２１０方向に移動して、カードの前端両側部に係止する（ＳＴ３）。
【００５５】
上記の状態で貸出ボタン８による貸出操作があると（ＳＴ４）、返却ボタン９による返却操作を無効にするとともに、カード状態表示ランプ２５を点滅させて「カード抜き取り不可」の状態に設定する（ＳＴ５）。以下、図５において説明した貸出ボタンＯＮ以降の貸出処理が行われ（ＳＴ６）、貸出完了となると、返却操作の無効を解除するとともにカード状態表示ランプ２５を点灯させて「カード抜き取り可」の状態に設定する（ＳＴ７）。その後返却ボタン９による返却操作があったかどうかの判定を行う（ＳＴ８）。返却ボタン９が操作されずに貸出ボタン８が再度操作されると、再び、ＳＴ５→ＳＴ６と進んで貸出処理が行われる。返却ボタン９による返却操作があると、ソレノイド２１１、２１２をオフしてシャッター部材２１３、２１４をカード挿入口２１０から遠ざかる方向に移動させる（ＳＴ９）。これにより、シャッター部材２１３、２１４によるカード２０の係止状態が解除され、同時に、バネ２１６によってカード２０が機外（前方）に押し出される。ＳＴ１０で１０秒間待機し、光学センサ２１７〜２２０の全てがオフするのを確認すると、カード２０が遊技者によって抜き取られたと見なして動作を終了する。いずれかの光学センサがオンしている時には、カード２０の抜き取り忘れあるとみなしてカード忘れ報知をスピーカにて行う（ＳＴ１２）。
【００５６】
なお、上記ＳＴ２において光学センサ２１７〜２２０のいずれかがオンしていない時には、カード２０が所定位置に正しく挿入されていないものとして、状態表示ランプ２４をエラー点灯とする（ＳＴ１３）。
【００５７】
以上の動作により、遊技者はカード２０をＩＣカードリーダライタ２１の所定位置まで挿入すると、自動的にシャッター部材２１３、３１４が駆動してカード２０が抜き取ることができないようにされ、貸出ボタン８による貸出操作を待って貸出処理が行われる。貸出処理が行われている間は、ユーザはカード２０を抜き取ることができないために貸出処理中にカードが抜き取られるというトラブルを未然に防ぐことができる。また、返却ボタン９によって返却操作が行われた時には、シャッター部材２１３、２１４による上記係止状態が自動的に解除されるとともに、バネ２１６の押圧力によってカード２０が機外（前方）に押し出されるためにカード２０の抜き取りが容易になる。
【００５８】
他の実施例として、上記バネ２１６をソレノイドに代え、返却処理時にこのソレノイドをオンすることによってカード２０を機外（前方）に押し出すようにしてもよい。押圧手段をソレノイドで構成することにより、カード２０の挿入時には挿入方向と反対方向への押圧力が加わらないから、カード２０が所定位置に挿入された時に同時にシャッター部材を駆動する必然性がなくなる。そこで、このような構成では、カード２０が挿入されただけではシャッター部材２１３、２１４を駆動せず、貸出ボタン８が操作されたときに初めて同シャッター部材を駆動するようにしてもよい。
【００５９】
さらに別の実施例として、カード２０を前方に押し出す押出手段としてソレノイドを用いる時には、光学センサ２１７〜２２０を必ずしも設けなくてもよい。シャッター部材２１３、２１４と押出手段であるソレノイドとの間隔をカード２０の長さよりも十分に長く設定し、且つ、シャッター部材２１３、２１４を貸出ボタン８が操作された時に駆動するようにしておけば、光学センサ２１７〜２２０を設けなくても貸出処理時にカード２０を抜き取ることができないようにすることができる。
【００６０】
図７は、ＩＣカードリーダライタの他の実施例を示している。同図（Ａ）は同ＩＣカードリーダライタの正面図、同図（Ｂ）は側面構造図である。
【００６１】
このＩＣカードリーダライタ２１が図３に示すＩＣカードリーダライタと相違する点は、このＩＣカードリーダライタ２１が、図３に示すソレノイド２１１、２１２及びシャッター部材２１３、２１４を備えていない点である。また、図３のバネ２１６に代えてソレノイド２３０を備えた点である。さらに、カード２０がカード挿入口２１０から挿入され、その後端がソレノイド２３０に当接する所定位置に達した時、カード２０の前端部がカード挿入口２１０の中央部分よりも外側に突出しないように上記所定位置が設定される。すなわち、カード２０の後端部がソレノイド２３０に当接する所定位置まで該カード２０を挿入した時に、カード２０の略全部がハウジング２１５内に挿入されるよう上記所定位置が設定されている。
【００６２】
以上の構成では、遊技者がカード２０をカード挿入口２１０からその前端部がソレノイド２３０に当接するまで挿入すると、該カード２０が所定位置に達して貸出操作が可能となる。このとき、カード２０の略全部がハウジング２１５内に挿入されているために、該カード２０を掴んで抜き取ることは出来ない。しかし、カード２０の先端が機外から見えるため、カードによる貸出処理が行われることを容易に視認出来る。貸出処理が終了して返却操作が行われると、そのときは貸出処理のための通信中でないから、ソレノイド２３０が駆動してカード２０が機外（前方）に押し出されることにより返却される。
【００６３】
図８は、本実施形態における主制御部２７の動作を示すフローチャートである。
【００６４】
図６に示すフローチャートと相違する点は、図６のＳＴ３がなく、且つ、図６のＳＴ９に代えてＳＴ１５を設けた点である。このＳＴ１５では、返却操作があった時に（ＳＴ８）、ソレノイド２３０を駆動してカード２０を機外（前方）に押し出す。
【００６５】
本実施形態では、図３に示すようなソレノイド２１１、２１２を設けなくても、カード２０が所定位置に到達している時カードの略全部がハウジング２１５内に挿入されて機外に抜き取ることができないようにされるため、貸出処理中に該カード２０が抜き取られるのを防止でき、且つ、返却操作時にはソレノイド２３０が駆動されることよって該カード２０が機外（前方）に押し出されて返却される。したがって、図３に示す構造に比べて簡単になり、コスト的にも有利となる利点がある。
【００６６】
図９は、ＩＣカードリーダライタの他の実施例を示している。
【００６７】
このＩＣカードリーダライタは、シャッター部材（シャッターピン）２４０を、カード２０に対して垂直方向に配置し、且つ、このシャッター部材２４０をカード２０の一方の側部の前端部にのみ配置している。シャッター部材２４０は、図外のソレノイドに連結しており、貸出ボタン８が操作されるとカード挿入口２１０に突出して、該カード２０の抜き取りができないように通過規制を行う。カード２０の返却時には、シャッター部材２４０が引き込まれ、通過規制状態が解除され、バネ２１６の押圧力によって該カード２０が機外（前方）に押し出される。
【００６８】
【発明の効果】
この発明によれば、従来必要であったカードの搬送機構が不要であるために構造が簡単となり、且つ低コストとなる利点がある。
【図面の簡単な説明】
【図１】この発明の実施形態であるＣＲスロットマシンの正面図
【図２】台間機の外観図
【図３】上記台間機に使用するＩＣカードリーダライタの正面図と側面構造図
【図４】ＣＲスロットマシンのブロック図
【図５】台間機とスロットマシン本体間の通信動作を示すタイミングチャート
【図６】台間機の主制御部での動作を示すフローチャート
【図７】ＩＣカードリーダライタの他の実施例を示す図
【図８】上記他の実施例のＩＣカードリーダライタを使用した時の台間機の主制御部の動作を示すフローチャート
【図９】ＩＣカードリーダライタの更に他の実施例を示す図
【符号の説明】
２０−カード（非接触ＩＣカード）
２１−ＩＣカードリーダライタ
２１０−カード挿入口
２１１、２１２−ソレノイド
２１３、２１４−シャッター部材（通過規制部材）
２１６−バネ（押出手段）
【図１】
2004166836.tif 000003
【図２】
2004166836.tif 000004
【図３】
2004166836.tif 000005
【図４】
2004166836.tif 000006
【図５】
2004166836.tif 000007
【図６】
2004166836.tif 000008
【図７】
2004166836.tif 000009
【図８】
2004166836.tif 000010
【図９】
2004166836.tif 000011